(57)【要約】【課題】金属製のバネを基材の内周面に押し付ける構成において、板バネのように折り曲げられた部分の自由端を基材の内周面に押し付ける場合と比して、バネを基材の内周面に押し付ける押付力が部品間でばらつくのを抑制することができる像保持体、及び画像形成装置を得る。【解決手段】接地バネ６４においては、主にコイル部６６が弾性変形することで、湾曲部６８Ｃが基材８０の内周面８０Ａに押し付けられる。このため、板バネのように折り曲げられた部分の自由端を基材の内周面に押し付ける場合と比して、バネを基材８０の内周面８０Ａに押し付ける押付力が部品間でばらつくのが抑制される。【選択図】図１
2019040156.tif 000002
【特許請求の範囲】
【請求項１】
金属製の円筒状の基材と、
前記基材の外周面に形成された感光層と、
コイル状のコイル部を有し、前記基材の内周面へ押し付けられ、接地された導電性の部材と電気的に接続されている金属製のバネと、
を備えた像保持体。
【請求項２】
前記バネは、前記コイル部と、前記コイル部の一端から突出して延び、前記内周面に押し付けられている突出部とを有するトーションバネで、
前記基材の軸方向から見て前記突出部は一方向に延びており、前記一方向から見て、前記突出部は、前記基材の軸線に沿っている請求項１に記載の像保持体。
【請求項３】
前記突出部において前記基材の内周面に押し付けられる部分は、湾曲している請求項２に記載の像保持体。
【請求項４】
前記突出部は、前記基材の内周面側が凸となるように曲げられた湾曲部を有し、前記湾曲部が、前記基材の内周面に押し付けられている請求項３に記載の像保持体。
【請求項５】
前記トーションバネは、前記コイル部の他端から突出して延びている他の突出部を有し、
前記他の突出部が、前記基材の回転軸を構成すると共に前記導電性の部材としての金属製の軸部材に押し付けられている請求項２から４の何れか１項に記載の像保持体。
【請求項６】
前記トーションバネは軸部材と一体となって回転し、
前記基材の軸方向から見て、前記他の突出部は、前記軸部材の径方向に延びている請求項５に記載の像保持体。
【請求項７】
前記他の突出部において、前記軸部材の外周面に押し付けられる部分は、湾曲している請求項５又は６に記載の像保持体。
【請求項８】
前記他の突出部は、前記軸部材の外周面側が凸となるように曲げられた他の湾曲部を有し、前記他の湾曲部が、前記軸部材の外周面に押し付けられている請求項７に記載の像保持体。
【請求項９】
前記トーションバネは軸部材に対して相対的に回転し、
前記基材の軸方向から見て、前記他の突出部は、前記軸部材と接する接点の接線方向に延びている請求項５に記載の像保持体。
【請求項１０】
前記コイル部は、前記突出部が突出している第一コイル部と、前記第一コイル部と接続されていると共に前記他の突出部が突出している第二コイル部とを有する請求項５から９の何れか１項に記載の像保持体。
【請求項１１】
前記第一コイル部の軸方向と前記第二コイル部の軸方向とが異なっている請求項１０に記載の像保持体。
【請求項１２】
請求項１から１１の何れか１項に記載の像保持体と、
前記像保持体の外周面を帯電する帯電部材と、
を備える画像形成ユニット。
【請求項１３】
請求項１２に記載の画像形成ユニットと、
帯電した前記像保持体の外周面を露光することで形成された静電潜像をトナー画像として現像する現像装置と、
前記像保持体の外周面に形成されたトナー画像を記録媒体に転写する転写部材と、
を備える画像形成装置。
【請求項１４】
請求項１から１１の何れか１項に記載の像保持体と、
前記像保持体の外周面を帯電する帯電部材と、
帯電した前記像保持体の外周面を露光することで形成された静電潜像をトナー画像として現像する現像装置と、
前記像保持体の外周面に形成されたトナー画像を記録媒体に転写する転写部材と、
を備える画像形成装置。
【発明の詳細な説明】
【技術分野】
【０００１】
本発明は、像保持体、画像形成ユニット、及び画像形成装置に関する。
【背景技術】
【０００２】
特許文献１に記載の感光ドラムは、円筒状の感光体とその軸方向開口端に嵌着されたフランジを備え、フランジに挿通するシャフトによって回転可能に支持されるとともに、フランジに固定されたアース板バネのアース端子をシャフトに摺接させて構成されている。
【先行技術文献】
【特許文献】
【０００３】
【特許文献１】特開２０１３−０１１７０９号公報
【発明の概要】
【発明が解決しようとする課題】
【０００４】
像保持体は、金属製で円筒状の基材と、基材の外周面に形成された感光層と、像保持体を接地させるための金属製のバネとを有している。このバネは、板状の本体部から突出した部分を折り曲げることで形成されている片持ち状の板バネである。
【０００５】
具体的には、板バネの基端を主に弾性変形させて、折り曲げられた部分の自由端を基材の内周面に押し付けることで板バネと基材とが電気的に接続される。このように、板バネにおいて弾性変形するのは、折り曲げられた部分の基端が主である。このため、弾性変形する部分の体積は小さい。このように、板バネでは弾性変形する部分の体積が小さいため、折り曲げられた部分の自由端が基材の内周面に押し付けられる押付力が部品間でばらついてしまう。
【０００６】
本発明の課題は、金属製のバネを基材の内周面に押し付ける構成において、板バネのように折り曲げられた部分の自由端を基材の内周面に押し付ける場合と比して、バネを基材の内周面に押し付ける押付力が部品間でばらつくのを抑制することである。
【課題を解決するための手段】
【０００７】
本発明の請求項１に係る像保持体は、金属製の円筒状の基材と、前記基材の外周面に形成された感光層と、コイル状のコイル部を有し、前記基材の内周面へ押し付けられ、接地された導電性の部材と電気的に接続されている金属製のバネと、を備えたことを特徴とする。
【０００８】
本発明の請求項２に係る像保持体は、請求項１に記載の像保持体において、前記バネは、前記コイル部と、前記コイル部の一端から突出して延び、前記内周面に押し付けられている突出部とを有するトーションバネで、前記基材の軸方向から見て前記突出部は一方向に延びており、前記一方向から見て、前記突出部は、前記基材の軸線に沿っていることを特徴とする。
【０００９】
本発明の請求項３に係る像保持体は、請求項２に記載の像保持体において、前記突出部において前記基材の内周面に押し付けられる部分は、湾曲していることを特徴とする。
【００１０】
本発明の請求項４に係る像保持体は、請求項３に記載の像保持体において、前記突出部は、前記基材の内周面側が凸となるように曲げられた湾曲部を有し、前記湾曲部が、前記基材の内周面に押し付けられていることを特徴としている。
【００１１】
本発明の請求項５に係る像保持体は、請求項２から４の何れか１項に記載の像保持体において、前記トーションバネは、前記コイル部の他端から突出して延びている他の突出部を有し、前記他の突出部が、前記基材の回転軸を構成すると共に前記導電性の部材としての金属製の軸部材に押し付けられていることを特徴としている。
【００１２】
本発明の請求項６に係る像保持体は、請求項５に記載の像保持体において、前記トーションバネは軸部材と一体となって回転し、前記基材の軸方向から見て、前記他の突出部は、前記軸部材の径方向に延びていることを特徴としている。
【００１３】
本発明の請求項７に係る像保持体は、請求項５又は６に記載の像保持体において、前記他の突出部において、前記軸部材の外周面に押し付けられる部分は、湾曲していることを特徴としている。
【００１４】
本発明の請求項８に係る像保持体は、請求項７に記載の像保持体において、前記他の突出部は、前記軸部材の外周面側が凸となるように曲げられた他の湾曲部を有し、前記他の湾曲部が、前記軸部材の外周面に押し付けられていることを特徴としている。
【００１５】
本発明の請求項９に係る像保持体は、請求項５に記載の像保持体において、前記トーションバネは軸部材に対して相対的に回転し、前記基材の軸方向から見て、前記他の突出部は、前記軸部材と接する接点の接線方向に延びていることを特徴としている。
【００１６】
本発明の請求項１０に係る像保持体は、請求項５から９の何れか１項に記載の像保持体において、前記コイル部は、前記突出部が突出している第一コイル部と、前記第一コイル部と接続されていると共に前記他の突出部が突出している第二コイル部とを有することを特徴としている。
【００１７】
本発明の請求項１１に係る像保持体は、請求項１０に記載の像保持体において、前記第一コイル部の軸方向と前記第二コイル部の軸方向とが異なっていることを特徴としている。
【００１８】
本発明の請求項１２に係る画像形成ユニットは、請求項１から１１の何れか１項に記載の像保持体と、前記像保持体の外周面を帯電する帯電部材と、を備えることを特徴としている。
【００１９】
本発明の請求項１３に係る画像形成装置は、請求項１２に記載の画像形成ユニットと、帯電した前記像保持体の外周面を露光することで形成された静電潜像をトナー画像として現像する現像装置と、前記像保持体の外周面に形成されたトナー画像を記録媒体に転写する転写部材と、を備えることを特徴としている。
【００２０】
本発明の請求項１４に係る画像形成装置は、請求項１から１１の何れか１項に記載の像保持体と、前記像保持体の外周面を帯電する帯電部材と、帯電した前記像保持体の外周面を露光することで形成された静電潜像をトナー画像として現像する現像装置と、前記像保持体の外周面に形成されたトナー画像を記録媒体に転写する転写部材と、を備えることを特徴としている。
【発明の効果】
【００２１】
本発明の請求項１の像保持体によれば、金属製のバネを基材の内周面に押し付ける構成において、板バネのように折り曲げられた部分の自由端を基材の内周面に押し付ける場合と比して、バネを基材の内周面に押し付ける押付力が部品間でばらつくのを抑制することができる。
【００２２】
本発明の請求項２の像保持体によれば、基材の軸方向から見て突出部は一方向に延びており、この一方向から見て、突出部が軸線に対して傾いている場合と比して、バネを基材の内周面に押し付ける押付力が部品間でばらつくのを抑制することができる。
【００２３】
本発明の請求項３の像保持体によれば、角部が基材の内周面に押し付けられている場合と比して、基材の内周面の傷付きを抑制することができる。
【００２４】
本発明の請求項４の像保持体によれば、研磨機を用いることなく湾曲部を形成することができる。
【００２５】
本発明の請求項５の像保持体によれば、トーションバネだけで、基材と軸部材とを電気的に接続することができる。
【００２６】
本発明の請求項６の像保持体によれば、基材の軸方向から見て、他の突出部が軸部材の径方向に対して傾斜している場合と比して、バネを軸部材の外周面に押し付ける押付力が部品間でばらつくのを抑制することができる。
【００２７】
本発明の請求項７の像保持体によれば、角部が軸部材の外周面に押し付けられている場合と比して、軸部材の外周面の傷付きを抑制することができる。
【００２８】
本発明の請求項８の像保持体によれば、研磨機を用いることなく他の湾曲部を形成することができる。
【００２９】
本発明の請求項９の像保持体によれば、基材の軸方向から見て、他の突出部が軸部材の径方向に延びている場合と比して、他の突出部が周期的に変形するのを抑制することができる。
【００３０】
本発明の請求項１０の像保持体によれば、バネの基材の内周面に対する押付力と、バネの軸部材の外周面に対する押付力とを個別に設定することができる。
【００３１】
本発明の請求項１１の像保持体によれば、他の突出部を軸部材の外周面に押し付ける押付方向を、突出部を基材の内周面に押し付ける押付方向によって制限を受けることなく決めることができる。
【００３２】
本発明の請求項１２の画像形成ユニットによれば、板バネのように折り曲げられた部分の自由端を基材の内周面に押し付ける像保持体を備える場合と比して、像保持体上のトナー画像の濃度ムラを抑制することができる。
【００３３】
本発明の請求項１３の画像形成装置によれば、板バネのように折り曲げられた部分の自由端を基材の内周面に押し付ける像保持体を備える場合と比して、出力画像の濃度ムラを抑制することができる。
【００３４】
本発明の請求項１４の画像形成装置によれば、板バネのように折り曲げられた部分の自由端を内周面に押し付ける像保持体を備える場合と比して、出力画像の濃度ムラを抑制することができる。
【図面の簡単な説明】
【００３５】
【図１】本発明の第１実施形態に係る像保持体を示した断面図である。
【図２】（Ａ）（Ｂ）本発明の第１実施形態に係る像保持体を示した断面図である。
【図３】本発明の第１実施形態に係る像保持体の閉塞部材等を示した斜視図である。
【図４】本発明の第１実施形態に係る像保持体を示した分解斜視図である。
【図５】本発明の第１実施形態の像保持体、及び帯電装置を示した側面図である。
【図６】本発明の第１実施形態に係る像保持体及び現像装置を示した平面図である。
【図７】本発明の第１実施形態に係る画像形成装置を示した概略構成図である。
【図８】（Ａ）（Ｂ）（Ｃ）本発明の第１実施形態に係る像保持体を構成する基材の製造工程を示した工程図である。
【図９】（Ａ）（Ｂ）本発明の第１実施形態に係る像保持体を構成する基材の製造工程を示した工程図である。
【図１０】本発明の第１実施形態に係る像保持体を構成する基材を製造するのに用いられるパンチ型、及びしごき型を示した斜視図である。
【図１１】（Ａ）（Ｂ）（Ｃ）本発明の第１実施形態に係る像保持体を構成する基材の製造工程を示した工程図である。
【図１２】（Ａ）（Ｂ）（Ｃ）本発明の第１実施形態に係る像保持体を構成する基材の製造工程を示した工程図である。
【図１３】（Ａ）（Ｂ）（Ｃ）本発明の第１実施形態に係る像保持体を構成する基材の製造工程を示した工程図である。
【図１４】本発明の第１実施形態に対する比較形態に係る像保持体を示した断面図である。
【図１５】本発明の第１実施形態に対する比較形態に係る像保持体の閉塞部材、及び接地部材を示した斜視図である。
【図１６】本発明の第１実施形態に対する比較形態に係る像保持体を示した拡大断面図である。
【図１７】本発明の第２実施形態に係る像保持体を示した断面図である。
【図１８】（Ａ）（Ｂ）本発明の第２実施形態に係る像保持体を示した断面図である。
【図１９】本発明の第２実施形態に係る像保持体の閉塞部材等を示した斜視図である。
【発明を実施するための形態】
【００３６】
＜第１実施形態＞
本発明の第１実施形態に係る像保持体、画像形成ユニット及び画像形成装置の一例を図１〜図１６に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００３７】
（全体構成）
図７に示されるように、本実施形態に係る画像形成装置１０には、記録媒体としてのシート部材Ｐが収容される収容部１４と、収容部１４に収容されたシート部材Ｐを搬送する搬送部１６とが備えられている。さらに、画像形成装置１０には、収容部１４から搬送部１６によって搬送されるシート部材Ｐに画像形成を行う画像形成部２０と、各部を制御する制御部４８とが備えられている。
【００３８】
〔収容部〕
収容部１４には、画像形成装置１０の装置本体１０Ａから装置奥行方向の手前側に引き出し可能な収容部材１４Ａが備えられており、この収容部材１４Ａにシート部材Ｐが積載されている。さらに、収容部１４には、収容部材１４Ａに積載された最上位のシート部材Ｐを、搬送部１６を構成する搬送経路２８に送り出す送出ロール１４Ｂが備えられている。
【００３９】
〔搬送部〕
搬送部１６には、シート部材Ｐが搬送される搬送経路２８に沿ってシート部材Ｐを搬送する複数の搬送ロール（符号省略）が備えられている。
【００４０】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋと、後述する像保持体２６に露光光を照射する露光装置４２とが備えられている。なお、以後の説明では、Ｙ、Ｍ、Ｃ、Ｋを区別して説明する必要が無い場合は、Ｙ、Ｍ、Ｃ、Ｋを省略して記載することがある。
【００４１】
各色の画像形成ユニット１８（プロセスカートリッジ）は、装置本体１０Ａに対して夫々着脱可能とされている。そして、各色の画像形成ユニット１８には、像保持体２６と、像保持体２６の外周面を帯電する帯電部材３８とが備えられている。さらに、画像形成ユニット１８には、帯電した像保持体２６に露光装置４２が露光光を照射することで形成された静電潜像を現像してトナー画像として可視化する現像装置３６が備えられている。なお、像保持体２６については、詳細を後述する。
【００４２】
さらに、画像形成部２０には、図中矢印Ａ方向に周回する無端状の転写ベルト２２と、各色の画像形成ユニット１８によって形成されたトナー画像を転写ベルト２２に転写する一次転写ロール４４とが備えられている。また、画像形成部２０には、転写ベルト２２に転写されたトナー画像をシート部材Ｐに転写する二次転写ロール４６と、トナー画像が転写されたシート部材Ｐを加熱・加圧して、トナー画像をシート部材Ｐに定着する定着装置５０とが備えられている。
【００４３】
（画像形成装置の作用）
画像形成装置１０では、次のようにして画像が形成される。
【００４４】
先ず、各色の帯電部材３８は、各色の像保持体２６の外周面を予定の電位で一様にマイナス帯電する。また、露光装置４２は、帯電した各色の像保持体２６の外周面に露光光を照射して静電潜像を形成する。これにより、静電潜像が各色の像保持体２６の外周面に形成される。さらに、各色の現像装置３６は、この静電潜像を現像し、トナー画像として可視化する。また、各色の像保持体２６の外周面に形成されたトナー画像は、一次転写ロール４４によって転写ベルト２２に順番に転写される。
【００４５】
そこで、収容部材１４Ａから送出ロール１４Ｂによって搬送経路２８へ送り出されたシート部材Ｐは、転写ベルト２２と二次転写ロール４６とが接触する転写位置Ｔへ送り出される。転写位置Ｔでは、シート部材Ｐが転写ベルト２２と二次転写ロール４６との間で搬送されることで、転写ベルト２２のトナー画像は、シート部材Ｐに転写される。
【００４６】
また、シート部材Ｐに転写されたトナー画像が、定着装置５０によってシート部材Ｐに定着される。そして、トナー画像が定着されたシート部材Ｐは、装置本体１０Ａの外部へ排出される。
【００４７】
（要部構成）
次に、帯電部材３８、現像装置３６、像保持体２６、及び像保持体２６を構成する基材８０の製造方法について説明する。
【００４８】
〔帯電部材３８〕
帯電部材３８は、図５に示されるように、像保持体２６に対して下方に配置されている。この帯電部材３８は、装置奥行方向に延びる軸部材９２と、円筒状で軸部材９２が貫通している弾性部９４とを備えている。この軸部材９２は、画像形成ユニット１８の筐体の一部を構成する支持部材９８に回転可能に支持されている。また、弾性部９４の外周面は、像保持体２６と接している。
【００４９】
この構成において、軸部材９２に電圧が印加され、帯電部材３８が回転する像保持体２６と従動して回転することで、帯電部材３８は、像保持体２６の外周面を帯電する。
【００５０】
〔現像装置３６〕
現像装置３６は、図６に示されるように、像保持体２６に対して装置幅方向の一方側（図中下側）に配置されており、現像剤を保持し、像保持体２６との間で現像ギャップ（隙間）が形成されている現像ロール７４を備えている。さらに、現像装置３６は、現像ロール７４の回転軸を構成する軸部材７８と、一対の調整ロール７６とを備えている。現像装置３６は、現像部材の一例である。
【００５１】
また、軸部材７８は、支持部材９８に回転可能に支持されている。さらに、一対の調整ロール７６は、装置奥行方向から現像ロール７４を挟むように、この軸部材７８に取り付けられている。一対の調整ロール７６は、互いに同様の構成とされており、夫々の調整ロール７６の外径は、現像ロール７４の外径よりも大きくされている。
【００５２】
この構成において、一対の調整ロール７６の外周面が、像保持体２６に接することで、現像ロール７４と像保持体２６との間に現像ギャップ（隙間）が形成されている。
【００５３】
〔像保持体２６〕
像保持体２６は、図１、図４に示されるように、装置奥行方向を軸方向としており、装置奥行方向に延びる円筒状の基材８０を備えている。さらに、像保持体２６は、基材８０において装置奥行方向の手前側の端部に嵌められて基材８０の開口を閉塞している閉塞部材８２と、基材８０において装置奥行方向の奥側の端部に嵌められて基材８０の開口を閉塞している閉塞部材８４とを備えている。また、像保持体２６は、像保持体２６の回転軸を構成する軸部材５４と、像保持体２６を接地するための金属製の一対の接地バネ６４と、基材８０の外周面８０Ｂに形成され、光が照射されて性質が変化して静電潜像が形成される感光層８６とを備えている。接地バネ６４は、金属製のバネ、及びトーションバネの一例である。
【００５４】
−基材８０、感光層８６−
基材８０は、金属であるアルミニウムを用いて円筒状に形成され、外径３０〔ｍｍ〕、長さ２５３〔ｍｍ〕、厚さ０．４〔ｍｍ〕とされている。なお、基材８０の厚さについては、０．４〔ｍｍ〕と記載したが、製造ばらつきを考慮すると、基材８０の厚さは、０．３５〔ｍｍ〕以上０．４５〔ｍｍ〕以下である。つまり、「基材８０の厚さ０．４〔ｍｍ〕」とは、基材８０の厚さ０．３５〔ｍｍ〕以上０．４５〔ｍｍ〕以下のことである。このように、基材８０の厚さが０．４〔ｍｍ〕になっているため、例えば、従来の厚さ０．７〔ｍｍ〕の基材と比して、質量が軽くなっており、コストが低減されている。換言すれば、像保持体２６のコストは、厚さ０．７〔ｍｍ〕の基材を用いる場合と比して、低減されている。
【００５５】
感光層８６は、光が照射されて性質が変化する有機光半導体硫化カドミウムを含んだ材料を基材８０の外周面８０Ｂに蒸着することで形成されている（図１参照）。
【００５６】
−閉塞部材８２−
閉塞部材８２は、ポリカーボネート樹脂を用いて形成されており、図１に示されるように、外径寸法が異なる複数の部分を含んで形成された段付き円柱状とされており、閉塞部材８２の一部が基材８０の内部に挿入されている。そして、閉塞部材８２は、軸部材５４が貫通する貫通孔８２Ａと、基材８０の軸方向で基材８０の端面が突き当てられている当て面８２Ｂと、当て面８２Ｂと一端が接しており、基材８０の内周面８０Ａと対向している対向面８２Ｃとを有している。さらに、閉塞部材８２は、対向面８２Ｃと一端が接しており、外径が徐々に小さくなる錐面８２Ｄを有している。
【００５７】
貫通孔８２Ａの直径は、５〔ｍｍ〕とされている。そして、軸部材５４をこの貫通孔８２Ａに貫通させ、閉塞部材８２は、軸部材５４と一体となって回転するようになっている。
【００５８】
また、基材８０において対向面８２Ｃと対向する部分に、接着剤（例えば、シアノアクリレート系接着剤）が塗布されている。そして、対向面８２Ｃがこの接着剤によって基材８０に接着されることで、閉塞部材８２は、基材８０に取り付けられている。
【００５９】
この構成において、閉塞部材８２を基材８０に対して装置奥行方向（基材８０の軸方向）に移動させることで、閉塞部材８２の一部が基材８０の内部に挿入されている。
【００６０】
−閉塞部材８４−
閉塞部材８４は、ポリカーボネート樹脂を用いて形成されており、図１に示されるように、外径寸法が異なる複数の部分を含んで形成された段付き円柱状とされており、閉塞部材８４の一部が基材８０の内部に挿入されている。そして、閉塞部材８４は、軸部材５４が貫通する貫通孔１０２と、基材８０の軸方向で基材８０の端面が突き当てられている当て面１０４と、当て面１０４と一端が接しており、基材８０の内周面８０Ａと対向している対向面１０６とを有している。さらに、閉塞部材８４は、対向面１０６と一端が接しており、外径が徐々に小さくなる錐面１０８と、対向面１０６及び錐面１０８に囲まれている円柱状の凹部１１０とを有している（図３参照）。
【００６１】
この凹部１１０は、図３に示されるように、底面１１０Ａと周面１１０Ｂとから形成されている。そして、周面１１０Ｂには、装置奥行方向に延びる一対のスリット１１２が形成されている。一対のスリット１１２は、同様の形状とされており、装置奥行方向から見て、貫通孔１０２の中心Ｃ１に対して対称に配置されており、基材８０の径方向に沿って直線状（まっすぐ）に延びている（図２（Ａ）参照）。
【００６２】
また、閉塞部材８４は、凹部１１０の内部に配置され、一対の接地バネ６４が夫々取り付けられている一対の取付部１１４を有している。
【００６３】
一対の取付部１１４は、同様の構成とされており、装置奥行方向から見て、一対のスリット１１２に対して貫通孔１０２側で、かつ、貫通孔１０２の中心Ｃ１に対して対称に配置されている（図２（Ａ）参照）。そして、一対の取付部１１４は、凹部１１０の底面１１０Ａから装置奥行方向の手前側に延びている基部１１４Ａと、基部１１４Ａから突出している円柱状の円柱部１１４Ｂとを夫々有している。
【００６４】
基部１１４Ａは、板状で、図２（Ａ）に示されるように、装置奥行方向から見てスリット１１２が上下方向に延びるように配置された状態で、板面が装置幅方向を向いており、板厚方向から見て矩形状とされている（図１参照）。
【００６５】
円柱部１１４Ｂは、基部１１４Ａの一方の板面から突出しており、装置奥行方向から見てスリット１１２と貫通孔１０２との間に配置されている。そして、円柱部１１４Ｂは、装置奥行方向から見てスリット１１２が上下方向に延びるように配置された状態で、装置幅方向に延びている。
【００６６】
また、閉塞部材８４の貫通孔１０２の直径は、５〔ｍｍ〕とされている。そして、軸部材５４をこの貫通孔１０２に貫通させることで、閉塞部材８４は、軸部材５４と一体となって回転するようになっている。
【００６７】
さらに、基材８０において対向面１０６と対向する部分に、接着剤（例えば、シアノアクリレート系接着剤）が塗布されている。そして、対向面１０６がこの接着剤によって基材８０に接着されることで、閉塞部材８４は、基材８０に取り付けられる。
【００６８】
この構成において、閉塞部材８４を基材８０に対して装置奥行方向に移動させることで、閉塞部材８４の一部が基材８０の内部に挿入される。
【００６９】
−軸部材５４−
軸部材５４は、導電性のＳＵＭ−Ｎｉシャフト（硫黄快削鋼にニッケルメッキを施したシャフト）が用いられており、外径５〔ｍｍ〕、全長３５５〔ｍｍ〕とされている。そして、軸部材５４の両端部が、図５に示されるように、支持部材９８に回転可能に支持されている。また、軸部材５４は、図示せぬ金属製のフレームに電気的に接続されており、接地されている。軸部材５４は、接地された導電性の部材の一例である。
【００７０】
さらに、軸部材５４の一端部には、画像形成ユニット１８を構成するギア９０が取り付けられており、このギア９０を介して、画像形成装置１０に備えられたモータ８８からの回転力が、像保持体２６に伝達されるようになっている。
【００７１】
−接地バネ６４−
一対の接地バネ６４は、金属製のトーションバネであって、図１、図３に示されるように、取付部１１４に夫々取り付けられている。
【００７２】
接地バネ６４は、直径０．３〔ｍｍ〕の線材を用いて形成されており、コイル状のコイル部６６と、コイル部６６の一端から突出するアーム部６８と、コイル部６６の他端から突出するアーム部７０とを有している。アーム部６８は突出部の一例で、アーム部７０は他の突出部の一例である。
【００７３】
コイル部６６の内径は、取付部１１４の円柱部１１４Ｂの外径と比して大きくされている。そして、円柱部１１４Ｂがコイル部６６に挿入されている。このコイル部６６の巻き数については、巻き数が多い方が、巻き数が少ない場合と比して、接地バネ６４のバネ力（反力）が安定する。このため、コイル部６６が円柱部１１４Ｂから突出しない範囲で、コイル部６６の巻き数を多くすることが好ましい。
【００７４】
アーム部６８は、一部がスリット１１２の内部に配置されており、図１に示されるように、取付部１１４の基部１１４Ａの板厚方向から見て、Ｌ字状とされている。そして、アーム部６８は、コイル部６６の一端と連結されている棒状の基端部分６８Ａと、棒状の先端部分６８Ｂとを有している。さらに、アーム部６８は、基材８０の内周面８０Ａ側が凸となるように湾曲状に曲げられた状態で、基端部分６８Ａと先端部分６８Ｂとを連結する湾曲状の湾曲部６８Ｃを有している。
【００７５】
具体的には、アーム部６８は、コイル部６６から、基材８０の軸方向の内側（閉塞部材８２側）で、かつ、基材８０の内周面８０Ａ側に延びている。さらに、装置奥行方向から見て、アーム部６８は、一方向に延びており、この一方向から見て（図２（Ａ）の矢印Ｂ）から見て、アーム部６８は、基材８０の軸線Ｊ１に沿っている（図２（Ｂ）参照）。そして、基材８０の内周面８０Ａ側が凸となるように湾曲して曲げられた湾曲部６８Ｃが、基材８０の内周面８０Ａに押し付けられている。なお、湾曲部６８Ｃの外径については、基材８０の局部的な変形を抑制するため、外径１〔ｍｍ〕以上が好ましく、外径２〔ｍｍ〕以上がより好ましい。
【００７６】
アーム部７０は、図１に示されるように、取付部１１４の基部１１４Ａの板厚方向から見て、Ｌ字状とされ、コイル部６６の他端と連結されている棒状の基端部分７０Ａと、棒状の先端部分７０Ｂとを有している。さらに、アーム部７０は、軸部材５４の外周面５４Ａ側が凸となるように湾曲状に曲げられた状態で、基端部分７０Ａと先端部分７０Ｂとを連結する湾曲状の湾曲部７０Ｃを有している。湾曲部７０Ｃは、他の湾曲部の一例である。
【００７７】
具体的には、アーム部７０は、コイル部６６から、基材８０の軸方向の内側（閉塞部材８２側）で、かつ、軸部材５４の外周面５４Ａ側に延びている。また、アーム部７０は、装置奥行方向（基材８０の軸方向）から見て、軸部材５４の径方向に延びている（図２（Ａ）参照）。そして、軸部材５４の外周面５４Ａ側が凸となるように湾曲して曲げられた湾曲部７０Ｃが、軸部材５４の外周面５４Ａに押し付けられている。
【００７８】
また、自由状態（外力が付加されていない状態）の接地バネ６４の湾曲部６８Ｃから湾曲部７０Ｃまでの直線距離は、基材８０の内周面８０Ａから軸部材５４の外周面５４Ａまでの最短距離と比して長くなっている。そして、主にコイル部６６が弾性変形することで、前述したように、湾曲部６８Ｃが基材８０の内周面８０Ａに押し付けられ、湾曲部７０Ｃが軸部材５４の外周面５４Ａに押し付けられている。
【００７９】
〔基材８０の製造方法〕
次に、基材８０の製造方法について説明する。基材８０は、円筒状の円筒材２０６を成形するインパクト加工と、この円筒材２０６を矯正して基材８０を成形するしごき加工とを含んで製造される。
【００８０】
−インパクト加工−
インパクト加工では、アルミニウムの塊であるスラグ２０２から、有底で円筒状の円筒材２０６が成形される。インパクト加工には、図８（Ａ）に示されるように、アルミニウムの塊であるスラグ２０２が収められる凹状型２０４と、凹状型２０４に収められたスラグ２０２を押圧してスラグ２０２を円筒状とする円柱状のパンチ型２００とが用いられる。凹状型２０４の凹部２０４Ａは円状とされ、この凹部２０４Ａの内径は、一例として、３２．０〔ｍｍ〕されている。パンチ型２００の外径は、一例として、３０．６〔ｍｍ〕とされている。
【００８１】
インパクト工程では、先ず、スラグ２０２が凹状型２０４に収納され、さらに、パンチ型２００が、凹状型２０４の上方に配置される（図８（Ａ）参照）。
【００８２】
次に、パンチ型２００が、図８（Ｂ）（Ｃ）に示されるように、下方に移動して凹状型２０４に収納されたスラグ２０２を押し潰して変形させる。これにより、スラグ２０２が、パンチ型２００の周面に沿うように有底で円筒状の円筒材２０６に変形する。一例として、この円筒材２０６の厚さは、０．７〔ｍｍ〕とされ、内径３０．６〔ｍｍ〕とされている。
【００８３】
次に、パンチ型２００が上方に移動して、図９（Ａ）に示されるように、パンチ型２００に密着している円筒材２０６が凹状型２０４から離間する。さらに、円筒材２０６が、図９（Ｂ）に示されるように、パンチ型２００から引き抜かれる（脱型される）。
【００８４】
−しごき加工−
しごき加工では、円筒材２０６の厚さを薄くして、円筒材２０６の形が矯正される。しごき加工には、図１０に示されるように、円筒材２０６（図９（Ｂ）参照）に先端（図中下端）から挿入されるパンチ型２２０と、円筒材２０６の内周面２０６Ａ（図９（Ｂ）参照）をパンチ型２２０の外周面２２０Ａに倣わせるしごき型２２２とが用いられる。
【００８５】
パンチ型２２０は、鉛直方向（一方向）に延びた円柱状とされており、一例として、パンチ型２２０の外径は、２９．２〔ｍｍ〕とされている。また、しごき型２２２は、円環状とされており、一例として、内径は、３０．０〔ｍｍ〕とされている。
【００８６】
しごき加工では、先ず、図１１（Ａ）に示されるように、パンチ型２２０を、先端から円筒材２０６の内部に挿入する。
【００８７】
次に、パンチ型２２０が挿入された円筒材２０６を、しごき型２２２の上方に移動させた位置から、図１１（Ｂ）（Ｃ）、図１２（Ａ）（Ｂ）（Ｃ）に示されるように、その下方へ移動させて、しごき型２２２の内部を通過させる。これにより、しごき型２２２が、円筒材２０６をパンチ型２２０の外周面２２０Ａに押し付けることで、円筒材２０６の内周面２０６Ａがパンチ型２２０の外周面２２０Ａに倣い、さらに、円筒材２０６の厚さが薄くなる。
【００８８】
次に、円筒材２０６が、図１３（Ａ）（Ｂ）に示されるように、パンチ型２２０から引き抜かれる（脱型される）。さらに、円筒材２０６の下端を切除し、図１３（Ｃ）に示されるように、両端が開放された円筒状の基材８０が成形される。
【００８９】
（要部構成の作用）
次に、要部構成の作用について説明する。
【００９０】
図５に示すモータ８８は、像保持体２６を回転させる。像保持体２６が回転することで、帯電部材３８は、像保持体２６に従動して回転する。さらに、帯電部材３８の軸部材５４には、図示せぬ電源から電圧が印加されている。
【００９１】
また、図１に示されるように、像保持体２６を構成する基材８０が接地バネ６４を介して軸部材５４に電気的に接続されることで、像保持体２６が接地されている。このため、帯電部材３８（図５参照）と像保持体２６との間に電流が流れ、像保持体２６の外周面が一様に帯電する。そして、帯電した像保持体２６の外周面には、露光装置４２（図７参照）による露光光の照射によって、静電潜像が形成される。
【００９２】
さらに、像保持体２６に形成された静電潜像は、図６に示す現像装置３６によって、トナー画像として可視化される。具体的には、現像装置３６の一対の調整ロール７６の外周面が、像保持体２６に接することで、現像装置３６の現像ロール７４と像保持体２６との間に現像ギャップ（隙間）が形成される。そして、この現像ギャップからトナーが静電潜像に渡されて、静電潜像は、トナー画像として可視化される。
【００９３】
ここで、像保持体２６の接地バネ６４の作用について、比較形態に係る像保持体５２６の接地部材５６４と比較しつつ説明する。先ず、比較形態に係る像保持体５２６について、像保持体２６と異なる部分を主に説明する。
【００９４】
−像保持体５２６−
像保持体５２６は、図１４に示されるように、基材８０と、閉塞部材８２と、基材８０において装置奥行方向の奥側の端部に嵌められて基材８０の開口を閉塞している閉塞部材５８４と、軸部材５４とを備えている。また、像保持体５２６は、像保持体５２６を接地するための金属製の接地部材５６４と、基材８０の外周面８０Ｂに形成されている感光層８６とを備えている。
【００９５】
閉塞部材５８４は、図１４、図１５に示されるように、閉塞部材５８４が基材８０の端部に嵌められた状態で、基材８０の軸方向で基材８０の端面が突き当てられている当て面５８４Ｂと、当て面５８４Ｂと一端が接しており、基材８０の内周面８０Ａと対向している対向面５８４Ｃとを有している。さらに、閉塞部材５８４は、対向面５８４Ｃと一端が接しており、外径が徐々に小さくなる錐面５８４Ｄと、錐面５８４Ｄの端縁に囲まれており、閉塞部材８２側を向く円状の円状面５８４Ｅと、軸部材５４が貫通する貫通孔５８４Ａとを有している。
【００９６】
接地部材５６４は、閉塞部材５８４の閉塞部材８２側で、基材８０の内部に配置されている。そして、接地部材５６４は、金属板の接地板５６６と、樹脂製で直方体状の一対の導電部材５６８とを有している。
【００９７】
接地板５６６は、厚さ０．２〔ｍｍ〕のＳＵＳ３０４−ＣＳＰ  調質記号Ｈ（ＪＩＳ  Ｇ  ４３１３：１９９６）を予め決められた形状にトリミングして、折り曲げることで形成されており、円状の本体部５６６Ａと、一対の耳部５６６Ｂと、一対の切り起し部５６６Ｃとを有している。
【００９８】
本体部５６６Ａの外径は、閉塞部材５８４の円状面５８４Ｅの外径と同様されており、本体部５６６Ａは、閉塞部材５８４の円状面５８４Ｅに重ねられている。そして、本体部５６６Ａの図示せぬ固定部を円状面５８４Ｅの図示せぬ被固定部に固定させることで、接地部材５６４は、閉塞部材５８４に取り付けられている。具体的には、本体部５６６Ａが円状面５８４Ｅから浮かないように、接地部材５６４は、閉塞部材５８４に取り付けられている。
【００９９】
耳部５６６Ｂは、円状の本体部５６６Ａの中心を挟んで、一対設けられており、夫々の耳部５６６Ｂは、本体部５６６Ａの外周縁から本体部５６６Ａの径方向に突出する部分を、閉塞部材５８４側に折り曲げることで形成されている。これにより、耳部５６６Ｂは、基端が折り曲げられた片持ち部となっている。そして、この耳部５６６Ｂの先端（自由端）が、基材８０の内周面８０Ａに押し付けられている（図１４参照）。つまり、耳部５６６Ｂは、基端が弾性変形する板バネとされている。
【０１００】
切り起し部５６６Ｃは、円状の本体部５６６Ａの中心を挟んで、一対設けられている。そして、夫々の切り起し部５６６Ｃは、本体部５６６Ａの外周縁に囲まれ、本体部５６６Ａと同様の平面上に配置されていた部分を、閉塞部材８２側に切り起すことで形成されている。これにより、切り起し部５６６Ｃは、基端が折り曲げられた片持ち部となっている。そして、切り起し部５６６Ｃは、基端が弾性変形する板バネとされている。
【０１０１】
導電部材５６８は、導電性を有する樹脂材料を用いて直方体状に形成されている。この導電部材５６８は、一対設けられており、一対の導電部材５６８は、一対の切り起し部５６６Ｃにおいて互いに向き合う側の面に図示せぬ取付具を用いて夫々取り付けられている。この状態で、導電部材５６８と切り起し部５６６Ｃとの導通は確保されている。そして、図１６に示されるように、一対の導電部材５６８が、軸部材５４の外周面５４Ａに夫々押し付けられている（夫々接している）。
【０１０２】
−接地バネ６４、接地部材５６４の作用−
接地部材５６４においては、図１４に示されるように、耳部５６６Ｂの先端（自由端）が、基材８０の内周面８０Ａに押し付けられることで、接地部材５６４と基材８０とは電気的に接続されている。具体的には、耳部５６６Ｂの基端が弾性変形することで、耳部５６６Ｂの先端が基材８０の内周面８０Ａに押し付けられている。
【０１０３】
さらに、接地部材５６４においては、図１６に示されるように、切お起し部５６６Ｃに取り付けられた導電部材５６８が、軸部材５４の外周面５４Ａに押し付けられることで、接地部材５６４と軸部材５４とは電気的に接続されている。具体的には、切り起し部５６６Ｃの基端が弾性変形することで、導電部材５６８が軸部材５４の外周面５４Ａに押し付けられている。
【０１０４】
このようにして、接地部材５６４は、板バネとされており、基材８０と軸部材５４とを電気的に接続している。
【０１０５】
これに対して接地バネ６４は、図１に示されるように、トーションバネとされている。そして、主にコイル部６６が弾性変形することで、湾曲部６８Ｃが基材８０の内周面８０Ａに押し付けられ、湾曲部７０Ｃが軸部材５４の外周面５４Ａに押し付けられている。
【０１０６】
（まとめ）
以上説明したように、接地部材５６４においては、耳部５６６Ｂの基端が弾性変形することで、耳部５６６Ｂの先端が基材８０の内周面８０Ａに押し付けられている。一方、接地バネ６４においては、主にコイル部６６が弾性変形することで、湾曲部６８Ｃが基材８０の内周面８０Ａに押し付けられている。
【０１０７】
このように、接地部材５６４において弾性変形する部分の体積は、接地バネ６４において弾性変形する部分の体積と比して小さい。このため、耳部５６６Ｂの先端が基材８０の内周面８０Ａに押し付けられる押付力が、湾曲部６８Ｃが基材８０の内周面８０Ａに押し付けられる押付力と比して、部品間でばらついてしまう。
【０１０８】
換言すれば、接地バネ６４においては、板バネのように折り曲げられた部分の自由端を基材の内周面に押し付ける場合と比して、バネを基材８０の内周面８０Ａに押し付ける押付力が部品間でばらつくのが抑制される。
【０１０９】
また、基材８０の板厚が薄い（例えば、板厚０．４〔ｍｍ〕）場合には、接地バネ６４、又は接地部材５６４による押付力により、基材８０の押し付けられた部分の真円度が低下してしまう。しかし、接地バネ６４は、接地部材５６４を用いる場合と比して、バネを基材８０の内周面８０Ａに押し付ける押付力が部品間でばらつくのが抑制される。つまり、接地バネ６４を用いることで、接地のために必要な下限の押付力を確保した上で、基材８０に対する最大の押付力が、接地部材５６４を用いる場合と比して小さくなる。
【０１１０】
また、基材８０に対する押付力が小さくなることで、接地部材５６４を用いる場合と比して、基材８０の真円度の低下が抑制される。
【０１１１】
また、装置奥行方向から見て、アーム部６８は、一方向に延びており、この一方向から見て（図２（Ａ）の矢印Ｂ）から見て、アーム部６８は、基材８０の軸線Ｊ１に沿っている（図２（Ｂ）参照）。このため、アーム部が軸線Ｊ１に対して傾いている場合と比して、バネを基材８０の内周面８０Ａに押し付ける押付力が部品間でばらつくのが抑制される。
【０１１２】
また、アーム部が軸線Ｊ１に対して傾いている場合と比して、接地バネ６４が取り付けられた閉塞部材８４を装置奥行方向（基材８０の軸方向）に移動させることで基材８０に挿入させる場合に、アーム部６８が基材８０の周方向に倒れてしまうのが抑制される。
【０１１３】
また、アーム部６８の湾曲部６８Ｃが、基材８０の内周面８０Ａに押し付けられている。このため、例えば、角部が基材８０の内周面８０Ａに押し付けられている場合と比して、基材８０の内周面８０Ａの傷付きが抑制される。
【０１１４】
また、湾曲部６８Ｃは、線材を基材８０の内周面８０Ａ側が凸となるように湾曲して曲げることで形成されている。このため、部材の端部を削ることで湾曲部を形成する場合と異なり、研磨機を用いることなく湾曲部６８Ｃが形成される。
【０１１５】
また、接地バネ６４のアーム部７０の湾曲部７０Ｃが、軸部材５４の外周面５４Ａに押し付けられている。このように、線材を加工した接地バネ６４だけで、基材８０と軸部材５４とが電気的に接続されている。
【０１１６】
また、接地バネ６４のアーム部７０は、装置奥行方向（基材８０の軸方向）から見て、軸部材５４の径方向に延びている（図２（Ａ）参照）。換言すれば、アーム部７０を軸部材５４の外周面５４Ａに押し付ける押付方向は、装置奥行方向（基材８０の軸方向）から見て、軸部材５４の中心に向いている。このため、装置奥行方向から見て、アーム部７０が軸部材５４の径方向に対して傾斜している場合と比して、アーム部７０の湾曲部７０Ｃを軸部材５４の外周面５４Ａに押し付ける押付力が部品間でばらつくのが抑制される。
【０１１７】
また、アーム部７０の湾曲部７０Ｃが、軸部材５４の外周面５４Ａに押し付けられている。このため、例えば、角部が軸部材５４の外周面５４Ａに押し付けられている場合と比して、軸部材５４の外周面５４Ａの傷付きが抑制される。
【０１１８】
また、湾曲部７０Ｃは、線材を軸部材５４の外周面５４Ａ側が凸となるように湾曲して曲げることで形成されている。このため、部材の端部を削ることで湾曲部を形成する場合と異なり、研磨機を用いることなく湾曲部７０Ｃが形成される。
【０１１９】
画像形成ユニット１８においては、像保持体２６を備えることで、像保持体５２６を備える場合と比して、基材８０の真円度の低下が抑制されるため、像保持体２６上のトナー画像の濃度ムラが抑制される。
【０１２０】
画像形成装置１０においては、像保持体２６を備えることで、像保持体５２６を備える場合と比して、基材８０の真円度の低下が抑制されるため、出力画像の濃度ムラが抑制される。
【０１２１】
＜第２実施形態＞
本発明の第２実施形態に係る像保持体、画像形成ユニット及び画像形成装置の一例を図１７〜図１９に従って説明する。なお、第２実施形態については、第１実施形態と異なる部分を主に説明する。
【０１２２】
（構成）
第２実施形態の像保持体３２６は、図１７に示されるように、基材８０と、感光層８６と、基材８０において装置奥行方向の手前側の端部に嵌められて基材８０の開口を閉塞している閉塞部材３８２とを備えている。さらに、像保持体３２６は、基材８０において装置奥行方向の奥側の端部に嵌められて基材８０の開口を閉塞している閉塞部材３８４と、像保持体２６を接地するための金属製の一対の接地バネ３６４とを備えている。また、像保持体３２６は、像保持体３２６の回転軸の一部を構成する軸部材３５４を備えている。接地バネ３６４は、トーションバネの一例である。
【０１２３】
〔閉塞部材３８２〕
閉塞部材３８２は、ポリカーボネート樹脂を用いて形成されており、図１７に示されるように、閉塞部材３８２の一部が基材８０の内部に挿入されることで、基材８０の端部に嵌められている。
【０１２４】
そして、閉塞部材３８２は、閉塞部材３８２が基材８０の端部に嵌められた状態で、基材８０の軸方向で基材８０の端面が突き当てられている当て面３８２Ｂと、当て面３８２Ｂと一端が接しており、基材８０の内周面８０Ａと対向している対向面３８２Ｃとを有している。さらに、閉塞部材３８２は、対向面３８２Ｃと一端が接しており、外径が徐々に小さくなる錐面３８２Ｄと、軸部材３５４が貫通する貫通孔３８２Ａとを有している。
【０１２５】
貫通孔３８２Ａの孔径は、５．２〔ｍｍ〕とされている。そして、後述する軸部材３５４をこの貫通孔３８２Ａに貫通させることで、閉塞部材３８２は、軸部材３５４を中心として回転するようになっている。さらに、基材８０の内周面８０Ａにおいて対向面３８２Ｃと対向する部分と、閉塞部材３８２の対向面３８２Ｃとは、接着剤Ｓ（例えば、シアノアクリレート系接着剤）によって接着されている。
【０１２６】
〔閉塞部材３８４〕
閉塞部材３８４は、ポリカーボネート樹脂を用いて形成されており、図１７に示されるように、閉塞部材３８４の一部が基材８０の内部に挿入されることで、基材８０の端部に嵌められている。
【０１２７】
そして、閉塞部材３８４は、閉塞部材３８４が基材８０の端部に嵌められた状態で、基材８０の軸方向で基材８０の端面が突き当てられている当て面４０４と、当て面４０４と一端が接しており、基材８０の内周面８０Ａと対向している対向面４０６とを有している。さらに、閉塞部材３８４は、対向面４０６と一端が接しており、外径が徐々に小さくなる錐面４０８と、対向面４０６及び錐面４０８に囲まれている円柱状の凹部４１０とを有している（図１９参照）。
【０１２８】
また、閉塞部材３８４は、図１７に示されるように、閉塞部材３８２とは反対側に突出すると共に、装置奥行方向に延びる断面円状の突出部４２０を有している。この突出部４２０の基端側の部分は、支持部材９８に形成された貫通孔（符号省略）に回転可能に支持されている。さらに、突出部４２０の先端側の部分には、ギア歯を有するギア部４２０Ａが形成されている。そして、このギア部４２０Ａを介して、画像形成装置１０に備えられたモータ８８からの回転力が、像保持体３２６に伝達されるようになっている。
【０１２９】
さらに、閉塞部材３８４は、図示せぬフレームに取り付けられていると共に装置奥行方向に延びている軸部材３２２が貫通する貫通孔４０２を有している。この貫通孔４０２の孔径は、５．２〔ｍｍ〕とされている。また、この軸部材３２２の先端は、閉塞部材３８４から基材８０の内部に突出している。この軸部材３３２は、像保持体３２６の回転軸の他の一部を構成しており、導電性のＳＵＭ−Ｎｉシャフト（硫黄快削鋼にニッケルメッキを施したシャフト）が用いられ、外径５〔ｍｍ〕とされている。
【０１３０】
また、閉塞部材３８４の凹部４１０は、図１８（Ａ）、図１９に示されるように、底面４１０Ａと周面４１０Ｂとから形成されており、周面４１０Ｂには、装置奥行方向に延びる一対のスリット４１２が形成されている。一対のスリット４１２は、同様の形状とされており、装置奥行方向から見て、貫通孔４０２の中心Ｃ２に対して対称に配置されており、基材８０の径方向に沿って延びている（図１８（Ａ）参照）。
【０１３１】
また、閉塞部材３８４は、凹部４１０の内部に配置され、一対の接地バネ３６４が夫々取り付けられている一対の取付部４１４を有している。
【０１３２】
一対の取付部４１４は、同様の構成とされており、装置奥行方向から見て、一対のスリット４１２に対して貫通孔４０２側で、かつ、貫通孔４０２の中心Ｃ２に対して対称に配置されている（図１８（Ａ）参照）。そして、一対の取付部４１４は、凹部４１０の底面４１０Ａから装置奥行方向の手前側に延びている基部４１４Ａと、基部４１４Ａから突出している円柱状の円柱部４１４Ｂとを夫々有している。さらに、一対の取付部４１４は、底面４１０Ａから装置奥行方向の手前側に延びている円柱状の円柱部４１４Ｃを夫々有している。
【０１３３】
基部４１４Ａは、板状で、図１８（Ａ）に示されるように、装置奥行方向から見てスリット４１２が上下方向に延びるように配置された状態で、板面が装置幅方向を向いており、板厚方向から見て矩形状とされている（図１７参照）。
【０１３４】
円柱部４１４Ｂは、基部４１４Ａの一方の板面から突出しており、装置奥行方向から見てスリット４１２と貫通孔４０２との間に配置されている。そして、円柱部４１４Ｂは、装置奥行方向から見てスリット４１２が上下方向に延びるように配置された状態で、装置幅方向に延びている。
【０１３５】
円柱部４１４Ｃは、装置奥行方向から見て、基部４１４Ａを挟んで円柱部４１４Ｂの反対側に配置されており、装置奥行方向に延びている。
【０１３６】
〔軸部材３５４〕
図１７に示す軸部材３５４は、導電性のＳＵＭ−Ｎｉシャフト（硫黄快削鋼にニッケルメッキを施したシャフト）が用いられており、外径５〔ｍｍ〕とされている。そして、軸部材３５４の基端は、支持部材９８に取り付けられており、軸部材３５４の先端は、閉塞部材３８２から基材８０の内部に突出している。
【０１３７】
また、軸部材３５４は、前述した軸部材３２２と同軸上に配置されている。そして、軸部材３５４の先端と軸部材３２２の先端とは、基材８０の内部で、装置奥行方向に対向している。
【０１３８】
この構成において、モータ８８からの回転力が、ギア部４２０Ａを介して像保持体３２６に伝達されると、基材８０、閉塞部材３８２、閉塞部材３８４、及び接地バネ３６４が、軸部材３２２、３５４を中心として回転する。具体的には、軸部材３２２、３５４は回転することなく、基材８０、閉塞部材３８２、閉塞部材３８４、及び接地バネ３６４が、軸部材３２２、３５４を中心として回転する。
【０１３９】
〔接地バネ３６４〕
一対の接地バネ３６４は、金属製のトーションバネであって、図１７、図１９に示されるように、閉塞部材３８４の取付部４１４に夫々取り付けられている。
【０１４０】
接地バネ３６４は、線径０．３〔ｍｍ〕とされており、コイル状のコイル部３６６と、コイル部３６６の一端から突出するアーム部３６８とを有している。さらに、接地バネ３６４は、コイル状のコイル部３７８と、コイル部３６６の他端とコイル部３７８の一端を連結する連結部３８６と、コイル部３７８の他端から突出するアーム部３８０とを有している。アーム部３６８は突出部の一例で、アーム部３８０は他の突出部の一例である。また、コイル部３６６は第一コイル部の一例で、コイル部３７８は第二コイル部の一例である。
【０１４１】
コイル部３６６の内径は、取付部４１４の円柱部４１４Ｂの外径と比して大きくされている。そして、円柱部４１４Ｂがコイル部３６６に挿入されている。つまり、コイル部３６６の軸方向と、円柱部４２４Ｂの軸方向とは同様とされている。
【０１４２】
アーム部３６８は、一部がスリット４１２の内部に配置されており、取付部４１４の基部４１４Ａの板厚方向から見て、Ｌ字状とされている。そして、アーム部３６８は、コイル部３６６の一端と連結されている棒状の基端部分３６８Ａと、棒状の先端部分３６８Ｂとを有している。さらに、アーム部３６８は、基材８０の内周面８０Ａ側が凸となるように湾曲状に曲げられた状態で、基端部分３６８Ａと先端部分３６８Ｂとを連結する湾曲状の湾曲部３６８Ｃを有している。
【０１４３】
具体的には、アーム部３６８は、コイル部３６６から基材８０の軸方向の内側（閉塞部材３８２側）で、かつ、基材８０の内周面８０Ａ側に延びている。さらに、装置奥行方向から見て、アーム部３６８は、一方向に延びており、この一方向から見て（図１８（Ａ）の矢印Ｄ）から見て、アーム部３６８は、基材８０の軸線Ｊ１に沿っている（図１８（Ｂ）参照）。また、自由状態の接地バネ３６４の湾曲部３６８Ｃは、基材８０の内周面８０Ａ（仮想面）に対して、基材８０の径方向の外側（基材８０の軸線から離れる側）に配置されている。
【０１４４】
そして、主にコイル部３６６が弾性変形することで、基材８０の内周面８０Ａ側が凸となるように湾曲して曲げられた湾曲部３６８Ｃが、基材８０の内周面８０Ａに押し付けられている。
【０１４５】
また、コイル部３７８の内径は、取付部４１４の円柱部４１４Ｃの外径と比して大きくされている。そして、円柱部４１４Ｃがコイル部３７８に挿入されている。つまり、コイル部３７８の軸方向と、円柱部４１４Ｃの軸方向とは同様とされている。さらに、コイル部３７８の軸方向は、コイル部３６６の軸方向に対して異なっている。
【０１４６】
連結部３６６は、図１９に示されるように、屈曲した状態で、コイル部３６６の他端とコイル部３７８の一端を連結している。
【０１４７】
アーム部３８０は、直線状とされ、軸部材３２２の外周面３２２Ａに接している。そして、アーム部３８０は、図１８（Ａ）に示されるように、装置奥行方向から見て、軸部材３２２と接する接点Ｓ１の接線方向に延びている。また、自由状態の接地バネ３６４のアーム部３８０は、軸部材３２２の外周面３２２Ａ（仮想面）に対して、基材８０の径方向の内側（基材８０の軸線に近づく側）に配置されている。
【０１４８】
そして、主にコイル部３７８が弾性変形することで、アーム部３８０が、軸部材３２２の外周面３２２Ａに、軸部材３２２の径方向から押し付けられている。
【０１４９】
（まとめ）
このように、アーム部３８０は、装置奥行方向から見て、軸部材３２２と接する接点Ｓ１の接線方向に延びている（図１８（Ａ）参照）。このため、接地バネ３６４が軸部材３２２に対して相対的に回転した場合でも、装置奥行方向から見て、アーム部が軸部材の径方向に延びている場合と比して、アーム部３８０が、軸部材３２２との間で生じる摩擦力によって周期的に変形するのが抑制される。
【０１５０】
また、基材８０の内周面８０Ａに対する接地バネ３６４の押付力は、主にコイル部３６６が弾性変形することで生じる。さらに、軸部材３２２の外周面３２２Ａに対する接地バネ３６４の押付力は、主にコイル部３７８が弾性変形することで生じる。このため、接地バネ３６４においては、基材８０の内周面８０Ａに対する押付力と、軸部材３２２の外周面３２２Ａに対する押付力とが個別に設定される。
【０１５１】
また、コイル部３７８の軸方向は、コイル部３６６の軸方向に対して異なっている。このため、アーム部３８０を軸部材３２２の外周面３２２Ａに押し付ける押付方向と、アーム部３６８を基材８０の内周面８０Ａに押し付ける押付方向とが変えられる。換言すれば、アーム部３８０を軸部材３２２の外周面３２２Ａに押し付ける押付方向が、アーム部３６８を基材８０の内周面８０Ａに押し付ける押付方向によって制限を受けることなく決められる。
【０１５２】
第２実施形態の他の作用については、接地バネ６４のアーム部７０が、装置奥行方向から見て、軸部材５４の径方向に延びていることで奏する作用を除いて、第１実施形態の作用と同様である。
【０１５３】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、特に説明しなかったが、閉塞部材８４、３８４が、一体的に形成されていてもよく、複数の部材に分けて成形された後、夫々の部材を組み付けることで形成されてもよい。
【０１５４】
また、上記実施形態では、アーム部６８、７０、３６８が湾曲状に曲げられることで、湾曲部６８Ｃ、７０Ｃ、３６８Ｃが形成され、この湾曲部６８Ｃ、７０Ｃ、３６８Ｃが基材８０の内周面８０Ａ、又は軸部材５４の外周面５４Ａに押し付けられた。しかし、基材８０の内周面８０Ａ、又は軸部材５４の外周面５４Ａに押し付けられている部分が湾曲していればよく、部材（線材）の端部を削ることで湾曲状して、この湾曲状の部分を基材８０の内周面８０Ａ、又は軸部材５４の外周面５４Ａに押し付けてもよい。
【０１５５】
また、上記実施形態では、コイル状のトーションバネを用いて基材８０と軸部材５４、３２２とを電気的に接続したが、コイル状の圧縮コイルバネを基材８０の内周面８０Ａと軸部材５４、３２２の外周面５４Ａ、３２２Ａとの間に圧縮状態で配置することで、基材８０と軸部材５４、３２２とを電気的に接続してもよい。
【０１５６】
また、上記第１実施形態では、装置奥行方向から見て、アーム部７０は、軸部材５４の径方向に延びていたが、装置奥行方向から見て、アーム部が屈曲していてもよく、アーム部の軸部材５４に対する押付方向が、軸部材５４の中心に向かっていればよい。
【０１５７】
また、上記第１実施形態では、アーム部７０が軸部材５４の外周面５４Ａに接していたが、他の方法で接地バネ６４が軸部材に電気的に接続されていてもよい。
【０１５８】
また、上記第２実施形態では、アーム部３８０は、装置奥行方向から見て、軸部材３２２と接する接点Ｓ１の接線方向に延びていたが、アーム部３８０の全体が接線方向に延びていなくてもよく、アーム部３８０において軸部材３２２と接する部分が接線方向に延びていればよい。
【０１５９】
また、上記第２実施形態の接地バネ３６４は、２個のコイル部を備えたが、３個以上のコイル部を備えてもよい。
【符号の説明】
【０１６０】
１０      画像形成装置
１８      画像形成ユニット
２６      像保持体
３６      現像装置
３８      帯電部材
４６      二次転写ロール（転写部材の一例）
５４      軸部材
５４Ａ          外周面
６４      接地バネ（トーションバネの一例）
６６      コイル部
６８      アーム部（突出部の一例）
６８Ｃ          湾曲部
７０      アーム部（他の突出部の一例）
７０Ｃ          湾曲部（他の湾曲部の一例）
８０      基材
８０Ａ          内周面
８６      感光層
３２２          軸部材
３２２Ａ   外周面
３２６          像保持体
３６４          接地バネ（トーションバネの一例）
３６６          コイル部（第一コイル部の一例）
３６８          アーム部（突出部の一例）
３６８Ｃ   湾曲部
３７８          コイル部（第二コイル部の一例）
３８０          アーム部（他の突出部の一例）
【図１】
2019040156.tif 000003
【図２】
2019040156.tif 000004
【図３】
2019040156.tif 000005
【図４】
2019040156.tif 000006
【図５】
2019040156.tif 000007
【図６】
2019040156.tif 000008
【図７】
2019040156.tif 000009
【図８】
2019040156.tif 000010
【図９】
2019040156.tif 000011
【図１０】
2019040156.tif 000012
【図１１】
2019040156.tif 000013
【図１２】
2019040156.tif 000014
【図１３】
2019040156.tif 000015
【図１４】
2019040156.tif 000016
【図１５】
2019040156.tif 000017
【図１６】
2019040156.tif 000018
【図１７】
2019040156.tif 000019
【図１８】
2019040156.tif 000020
【図１９】
2019040156.tif 000021